(57)【要約】【課題】３０ＧＨｚ以上のミリ波帯でも、損失の小さい伝送が可能なＮＲＤガイドと誘電体導波管との接続構造に用いられるＮＲＤガイドを提供する。【解決手段】第１および第２の平板導体１、２間に誘電体線路３を配設してなるＮＲＤガイドＡにおいて、ＮＲＤガイドＡのＬＳＭモードの定在波の電界が強い箇所の第１の導体板１に開孔４を設けたＮＲＤガイドＡである。開孔４は、導波管Ｂの開放終端部５ａが接続されるか、あるいは誘電体導波管Ｂの側壁に設けた開孔が接続される。【選択図】　図１
2004032800.tif 000002
【特許請求の範囲】
【請求項１】
第１および第２の平板導体間に誘電体線路を配設してなるＮＲＤガイドにおいて、前記ＮＲＤガイドのＬＳＭモードの定在波の電界が強い箇所の前記第１の導体板に開孔を設けたことを特徴とするＮＲＤガイド。
【請求項２】
前記開孔を、前記誘電体線路の端部またはその次の前記ＬＳＭモードの定在波の電界が強い箇所に設けたことを特徴とする請求項１記載のＮＲＤガイド。
【請求項３】
前記開孔の形状は、前記ＮＲＤガイドの管内波長の半分以下の長さおよび前記誘電体線路と同じ程度の幅を持つ、矩形状、円形状または長孔状であることを特徴とする請求項１記載のＮＲＤガイド。
【請求項４】
前記開孔内に、前記誘電体線路と同程度の誘電率を有する誘電体を埋め込んだことを特徴とする請求項１記載のＮＲＤガイド。
【請求項５】
前記開孔は、導波管の開放終端部が接続されることを特徴とする請求項１記載のＮＲＤガイド。
【請求項６】
前記開孔は、導波管内に誘電体が充填された誘電体導波管の側壁に形成された開孔が接続されることを特徴とする請求項１記載のＮＲＤガイド。
【発明の詳細な説明】
【発明の属する技術分野】
本発明は、ミリ波集積回路等に組み込まれ、高周波信号の伝送用として用いられるＮＲＤガイドと誘電体導波管とを接続するための構造に用いられるＮＲＤガイドに関する。
【従来の技術】
従来より、誘電体線路を１対の導体板によって挟持した単純な構造からなる非放射性誘電体線路（以下、ＮＲＤガイドという。）が高周波信号の伝送線路の１つとして用いられることが知られている。そして、このＮＲＤガイドを配線基板などに組み入れる場合、回路設計上、このＮＲＤガイドを他の高周波用伝送線路と接続することが必要不可欠であり、その場合、伝送特性の劣化なく接続することが重要である。
そこで、他の高周波伝送線路との接続構造として、ＮＲＤガイドと、マイクロストリップ線路とを接続するための構造が提案されている。その一般的な構造を図６に示す。図６によれば、一対の導体板１１、１２の間に誘電体線路３が配設されたＮＲＤガイドにおける導体板１１に、スロット孔１３を形成し、そのスロット孔１３の表面に、誘電体基板１４の表面に中心導体１５が形成された基板をスロット孔１３と中心導体１５の終端部とが所定の位置関係になるように載置することにより、ＮＲＤガイドとマイクロストリップ線路とを、ＮＲＤガイドの導体板１１に設けられたスロット孔１３を介して電磁的に接続するものである。
【発明が解決しようとする課題】
しかしながら、回路設計において高周波信号の周波数が３０ＧＨｚ以上のミリ波帯では、マイクロストリップ線路では伝送損失自体が大きくなるために，上記接続構造は信号周波数が３０ＧＨｚ以上である回路基板には不向きであった。
このマイクロストリップ線路に代わり、３０ＧＨｚ以上のミリ波に対してもＮＲＤガイドと同様に伝送損失の小さい線路として誘電体導波管が知られており、回路設計においても誘電体導波管を用いることが必要となる。しかしながら、ＮＲＤガイドと誘電体導波管との接続構造についてはこれまで全く報告がなかった。
従って、本発明は、３０ＧＨｚ以上のミリ波帯でも損失の小さい伝送が可能なＮＲＤガイドと誘電体導波管との接続構造に用いることができるＮＲＤガイドを提供することを目的とするものである。
【課題を解決するための手段】
本発明者は、第１および第２の平板導体間に誘電体線路を配設してなるＮＲＤガイドと、誘電体導波管とを伝送損失を小さく接続できる構造について検討を重ねた結果、ＮＲＤガイド内の信号の電界の水平成分が最大となる箇所の前記第１の導体板に開孔を設け、該開孔と誘電体導波管の開放断面とを接続すること、あるいは前記誘電体導波管の終端から管内波長の１／２波長長さ位置の側壁に開孔を設け、前記ＮＲＤガイドの開孔と、前記誘電体導波管の開孔とを接続することによって、前記目的が達成されることを見いだした。
すなわち、本発明のＮＲＤガイドは、第１および第２の平板導体間に誘電体線路を配設してなるＮＲＤガイドにおいて、前記ＮＲＤガイドのＬＳＭモードの定在波の電界が強い箇所の前記第１の導体板に開孔を設けたことを特徴とするものである。
また、本発明のＮＲＤガイドは、上記構成において、前記開孔を、前記誘電体線路の端部またはその次の前記ＬＳＭモードの定在波の電界が強い箇所に設けたことを特徴とするものである。
また、本発明のＮＲＤガイドは、上記構成において、前記開孔の形状は、前記ＮＲＤガイドの管内波長の半分以下の長さおよび前記誘電体線路と同じ程度の幅を持つ、矩形状、円形状または長孔状であることを特徴とするものである。
また、本発明のＮＲＤガイドは、上記構成において、前記開孔内に、前記誘電体線路と同程度の誘電率を有する誘電体を埋め込んだことを特徴とするものである。
また、本発明のＮＲＤガイドは、上記構成において、前記開孔は、導波管の開放終端部が接続されることを特徴とするものである。
また、本発明のＮＲＤガイドは、上記構成において、前記開孔は、導波管内に誘電体が充填された誘電体導波管の側壁に形成された開孔が接続されることを特徴とするものである。
【発明の実施の形態】
以下、本発明のＮＲＤガイドについて、その概略斜視図である図１、図２をもとに説明する。
図１、図２に示すように、本発明のＮＲＤガイドＡは、一対の平行平板導体１、２間に、断面がａ×ｂの誘電体線路３が配設されており、端部は開放終端部３ａとなっている。このような構造のＮＲＤガイドＡにおいては、図３に示すようなＬＳＭモードによる電界の定在波が生じる。
本発明においては、誘電体導波管Ｂとの接続用として、この定在波の電界の強い部分、即ち、図３におけるＰ１、Ｐ２、Ｐ３、Ｐ４のいずれかの箇所における導体板１に、Ｐ１〜４の各箇所を中心とする開孔４を設ける。誘電体導波管Ｂとの回路設計の点からは、誘電体線路３の端部であるＰ１またはその次のＬＳＭモードの定在波の電界が強いＰ２の箇所に開孔４を設けることが望ましい。
なお、導体板１の開孔４内には、誘電体線路３と同程度の誘電率を有する誘電体を埋め込むことによって、誘電体導波管Ｂとの損失の少ない接続が得られる。一方、誘電体導波管Ｂは、断面が矩形状の金属の管５によって形成され、その内部には、誘電体６が埋め込まれている。
上記ＮＲＤガイドＡと誘電体導波管Ｂとは、ＮＲＤガイドＡにおける導体板１に設けられた開孔４を介して接続される。接続の方法としては、図１に示すように、誘電体導波管Ｂの開放終端部５ａと開孔４とを接続する。また、他の方法としては、図２の斜視図に示すように誘電体導波管Ｂの側壁４の一部に開孔７を形成し、ＮＲＤガイドＡ側の開孔４と誘電体導波管Ｂ側の開孔７とを整合させて接続することにより、ＮＲＤガイドＡと誘電体導波管Ｂとを損失を小さく接続することができる。
なお、図２の接続方法においては、開孔７は、誘電体導波管Ｂの終端５ｂからの距離ｘが、誘電体導波管Ｂの管内波長の１／２波長長さ位置に形成されることが望ましい。
また、誘電体導波管Ｂ内の誘電体６としては、ＮＲＤガイドＡにおける誘電体線路３と同程度の誘電率を有する誘電体により形成することにより損失の小さい接続が可能である。
ＮＲＤガイドＡ側の開孔４の形状は、ＮＲＤガイドＡの管内波長の半分以下の長さ（Ｌ）とＮＲＤガイドＡの誘電体線路３と同じ程度の幅（Ｗ）を持つ、図１、図２に示すような矩形状の他、円形状、長孔状であってもよい。
本発明のＮＲＤガイドＡおよび誘電体導波管Ｂに用いられる誘電体としては、セラミックスの他、有機系誘電体材料、有機−無機複合系誘電体材料などの周知の誘電体材料が用いられる。
【実施例】
実施例１
厚さ１ｍｍの銅板を１．８ｍｍの間隔で平行に置き、断面形状が幅０．８ｍｍ、高さ１．８ｍｍ、比誘電率４．８の誘電体線路を金属板間に置くことで形成されるＮＲＤガイドの開放終端部から３．３ｍｍの位置に中心を持つ幅０．８ｍｍ、長さ１．２ｍｍの矩形の開孔を金属板に開け、その開孔内には比誘電率４．８の誘電体を充填した。
そして、この開孔に対して、開孔形状と同じ断面形状を持ち、比誘電率が４．８の誘電体が金属管内に充填された誘電体導波管を接続した。この構成による接続溝造についてネットワークアナライザによってＮＲＤガイドと誘電体導波管間の伝送特性（Ｓ２１）を測定し、その結果を図５に示した。図５の結果から明らかなように、約７８ＧＨｚにおいて−０．６（ｄＢ）のピークを有する良好な伝送特性を示した。
実施例２
実施例１の開孔を形成したＮＲＤガイドに対して、０．６ｍｍ×１．２ｍｍの断面形状を持ち、比誘電率が４．８の誘電体が充填された誘電体導波管を接続した。接続には、誘電体導波管の終端部と中心位置との距離が１．３４ｍｍとなる側壁にＮＲＤガイドの開孔と同一形状の開孔を形成し、両開孔を接続した。そして、実施例１と同様にして伝送特性を評価し、その結果を図６に示した。図６に示すように、７４〜８０ＧＨｚ領域において、伝送損失が−１．０ｄＢよりも小さい良好な特性を示した。
【発明の効果】
以上詳述した通り、本発明によれば、ＮＲＤガイドと誘電体導波管とをＮＲＤガイドの導体板の特定箇所に設けた開孔を介して誘電体導波管と接続することにより、低い挿入損失での接続が可能になる。
【図面の簡単な説明】
【図１】本発明のＮＲＤガイドおよびこれと誘電体導波管との接続構造の一例を説明するための分解斜視図である。
【図２】本発明のＮＲＤガイドおよびこれと誘電体導波管との接続構造の他の例を説明するための分解斜視図である。
【図３】本発明におけるＮＲＤガイド内の電界分布を説明するための平面図である。
【図４】本発明のＮＲＤガイドを用いた図１の接続構造による伝送特性を示す図である。
【図５】本発明のＮＲＤガイドを用いた図２の接続構造による伝送特性を示す図である。
【図６】従来におけるＮＲＤガイドとマイクロストリップ線路との接続構造を説明するための概略斜視図である。
【符号の説明】
Ａ　　ＮＲＤガイド
Ｂ　　誘電体導波管
１，２　平板導体（導体板）
３　　誘電体線路
４，７　開孔
５　　側壁（導体管壁）
５ａ　開放終端部
５ｂ　終端部
６　　誘電体
【図１】
2004032800.tif 000003
【図２】
2004032800.tif 000004
【図３】
2004032800.tif 000005
【図４】
2004032800.tif 000006
【図５】
2004032800.tif 000007
【図６】
2004032800.tif 000008